(57)【要約】【課題】孔版印刷用版胴装置において、インクの供給不良を低減する。【解決手段】孔版印刷用版胴装置は、円筒状を呈し孔版原紙が巻き付けられる周壁２１ａと、この周壁２１ａの両端の各々に設けられた側壁２１ｂと、を有する版胴２１を備え、この版胴２１は、少なくとも一方の側壁２１ｂに設けられた開口部２１ｄと、この開口部２１ｄを覆うカバー２１ｃと、を更に有する。【選択図】図３
2019098543.tif 000002
【特許請求の範囲】
【請求項１】
円筒状を呈し孔版原紙が巻き付けられる周壁と、当該周壁の両端の各々に設けられた側壁と、を有する版胴を備え、
前記版胴は、少なくとも一方の前記側壁に設けられた開口部と、当該開口部を覆うカバーと、を更に有する、
ことを特徴とする孔版印刷用版胴装置。
【請求項２】
前記カバーは、前記版胴が回転した状態で前記開口部を開放させ、前記版胴が停止した状態で前記開口部を覆うことを特徴とする請求項１記載の孔版印刷用版胴装置。
【請求項３】
前記カバーを開閉させる開閉機構を更に備え、
前記カバーは、前記開口部を覆うカバー本体と、当該カバー本体を回動自在に支持する支持部と、前記カバー本体から前記版胴の内部に向かって突出する突出部と、を有し、
前記開閉機構は、一端が前記側壁の内面に沿って移動可能な開閉アームと、当該開閉アームに固定された錘と、前記開閉アームと前記突出部とがなす角度を可変に前記開閉アームの他端と前記突出部の先端とを連結する連結部材と、前記開閉アームと前記突出部とを互いに接近するように付勢することで前記開口部を覆う位置に前記カバー本体を回動させる弾性体と、を有し、
前記カバー本体は、前記版胴の回転に伴って生じる遠心力によって前記開閉アームの前記一端が前記弾性体の付勢力に抗して前記側壁の前記内面に沿って移動することで前記開口部を開放させる位置に回動する、
ことを特徴とする請求項２記載の孔版印刷用版胴装置。
【発明の詳細な説明】
【技術分野】
【０００１】
本発明は、孔版印刷用版胴装置に関する。
【背景技術】
【０００２】
従来、孔版印刷装置では、製版部において感熱穿孔が施された孔版原紙は、円筒形状の版胴に巻き付けられた状態で版胴とともに回転し、用紙は、版胴の接線方向に搬送される。そして、版胴内部から染み出されるインクが孔版原紙を介して用紙に転写されることで印刷が行われる。
【０００３】
このような孔版印刷装置において、加熱・冷却手段によって、最適なインク粘度となるようにインクに加えられる加熱量又は冷却量を調整する孔版印刷装置が提案されている（例えば、特許文献１参照）。
【０００４】
また、孔版印刷装置において、版胴の内部に配置された加湿機構を用いて版胴内部の湿度を高めることによって、インク中の水分の蒸発を防ぐ孔版印刷装置が提案されている（例えば、特許文献２参照）。
【先行技術文献】
【特許文献】
【０００５】
【特許文献１】特許第３６８６４７９号公報
【特許文献２】特許第３０３０７３６号公報
【発明の概要】
【発明が解決しようとする課題】
【０００６】
ところで、版胴の内部は連続印刷動作を行うと内部構成部品の摩擦等により発熱する。低温環境下で印刷動作が行われると、版胴の内部温度が上がり、版胴の周囲温度や発熱しない構成部品温度と温度差が生じるため、版胴の内部に結露が発生する。
【０００７】
この結露の液滴が、インクボトルから吐出されたインク溜まりに混入すると、インクの変質を引き起こすとともに、例えば結露の液滴がインク上で浮き上がることで、センサによるインク量の誤検知を引き起こす。これらにより、安定したインク供給を行うことができなくなる。
【０００８】
上述のようにインクに加えられる加熱量又は冷却量を調整する孔版印刷装置は、最適なインク粘度となるようにインクに加えられる加熱量又は冷却量を調整するため、例えば、低温時のインク加熱による急激な温度変化によって結露の発生を促進させてしまう。
【０００９】
また、上述のように版胴内部の湿度を高める孔版印刷装置は、加湿による飽和水蒸気状態が結露の発生を促進させてしまう。
【００１０】
本発明の目的は、インクの供給不良を低減することができる孔版印刷用版胴装置を提供することである。
【課題を解決するための手段】
【００１１】
１つの態様では、孔版印刷用版胴装置は、円筒状を呈し孔版原紙が巻き付けられる周壁と、当該周壁の両端の各々に設けられた側壁と、を有する版胴を備え、前記版胴は、少なくとも一方の前記側壁に設けられた開口部と、当該開口部を覆うカバーと、を更に有する。
【発明の効果】
【００１２】
前記態様によれば、インクの供給不良を低減することができる。
【図面の簡単な説明】
【００１３】
【図１】孔版印刷装置を示す構成図である。
【図２】孔版印刷装置の背面側から見た版胴の内部構成を示す図である。
【図３】カバーが開口部を開放させる位置にある版胴を示す斜視図である。
【図４】開口部を開放させる位置にある２つのカバーを示す斜視図である。
【図５Ａ】開口部を覆う位置にあるカバーを示す斜視図である。
【図５Ｂ】開口部を覆う位置にあるカバーを示す断面図である。
【図６Ａ】開口部を開放させる位置にあるカバーを示す斜視図である。
【図６Ｂ】開口部を開放させる位置にあるカバーを示す断面図である。
【図７】変形例におけるフィルタ及びカバーを示す断面図である。
【発明を実施するための形態】
【００１４】
以下、本発明の一実施の形態に係る孔版印刷用版胴装置について、図面を参照しながら説明する。
【００１５】
図１は、孔版印刷装置１を示す構成図である。
図１に示すように、孔版印刷装置１は、版胴装置（孔版印刷用版胴装置）２０を備える。また、孔版印刷装置１は、装置筐体２と、操作パネル部３と、原稿読取部４と、カム駆動部５と、排版部６と、給紙部７と、排紙部８と、制御部９と、プレスローラ１０と、剥離爪１１と、製版部３０と、を備えるとよい。
【００１６】
装置筐体２の上部には、操作パネル部３及び原稿読取部４が配置されている。
操作パネル部３は、孔版印刷装置１の各種操作を行うための操作キーなどを有し、孔版印刷装置１の入力部として機能する。
【００１７】
原稿読取部４は、原稿から画像情報を読み取るスキャナを有する。
カム駆動部５は、版胴装置２０のクランプ部２３のクランプ板に孔版原紙（マスタ）Ｍの先端をクランプさせるとともに、クランプ部２３の跳ね上げ板に印刷済みの孔版原紙Ｍを版胴装置２０の版胴２１から跳ね上げさせる。
【００１８】
排版部６は、版胴２１から跳ね上げられた孔版原紙Ｍを収容する。
給紙部７は、版胴装置２０への用紙Ｓの給紙を行う給紙ローラや、用紙Ｓが載置される給紙台などを有する。
【００１９】
排紙部８は、版胴装置２０から搬送される印刷済みの用紙Ｓを装置筐体２から排出する排紙ローラや、装置筐体２から排出された用紙Ｓが積層される排紙台などを有する。
【００２０】
制御部９は、孔版印刷装置１全体の動作を制御する演算処理装置として機能するプロセッサ（例えばＣＰＵ： Central Processing Unit）を有する。
【００２１】
プレスローラ１０は、版胴２１の下方に設けられている。プレスローラ１０は、版胴２１に巻き付けられて版胴２１とともに回転する孔版原紙Ｍに用紙Ｓを押し付ける。
【００２２】
剥離爪１１は、版胴２１の下方に設けられ、印刷済みの用紙Ｓを孔版原紙Ｍから剥離する。
【００２３】
図２は、孔版印刷装置１の背面側から見た版胴２１の内部構成を示す図である。
図３は、カバー２１ｃが開口部２１ｄを開放させる位置（Ｐ１）にある版胴２１を示す斜視図である。
【００２４】
一例ではあるが、版胴装置２０は、上述の版胴２１及びクランプ部２３に加えて、支軸２２と、インクボトル２４と、インク吐出部２５と、ドクターローラ２６と、スキージローラ２７と、インク駆動ロッド２８と、フレーム２９と、を有する。
【００２５】
図３に示すように、版胴２１は、円筒状を呈し孔版原紙Ｍが巻き付けられる周壁２１ａと、この周壁２１ａの両端の各々に設けられた円板形状の側壁２１ｂと、を有する。また、版胴２１は、少なくとも一方の側壁２１ｂに設けられた開口部２１ｄと、この開口部２１ｄを覆うカバー２１ｃと、を更に有する。
【００２６】
なお、開口部２１ｄは、両側の側壁２１ｂに設けられることで、気体が版胴２１の内部に導入されやすくなる。また、カバー２１ｃも両側の側壁２１ｂに配置されるとよいが、両側の側壁２１ｂに開口部２１ｄが設けられている場合であっても、一方の側壁２１ｂにおいて開口部２１ｄを覆うだけでも、インクＩＫの揮発や版胴２１の内部への塵埃の進入を防ぐことができる。
【００２７】
図３に示す支軸２２は、周壁２１ａの中心軸方向Ｃに延び、側壁２１ｂから版胴２１の外部へ中心軸方向Ｃに突出する。版胴装置２０は、支軸２２において図１に示す装置筐体２の内部に固定される。また、版胴２１は、支軸２２を回転中心として用紙Ｓに印刷が行われる度に回転する。また、版胴２１は、印刷や排版などが行われていないときには同一の位置で停止する。
【００２８】
図１に示すクランプ部２３は、上述のように、孔版原紙Ｍの先端をクランプするとともに印刷済みの孔版原紙Ｍを後述する版胴２１から跳ね上げるのに用いられる。クランプ部２３は、クランプを行うクランプ板と跳ね上げを行う跳ね上げ板とが独立して配置されているとよい。
【００２９】
図２に示すインクボトル２４は、インクＩＫを収容する。また、インクボトル２４は、版胴２１の内部においてフレーム２９によって支持されている、
インク吐出部２５は、インクボトル２４に収容されたインクＩＫを吐出する。インク吐出部２５から吐出されたインクＩＫは、ドクターローラ２６とスキージローラ２７との間においてインク溜まりとなる。一例ではあるが、スキージローラ２７は、プレスローラ１０が用紙Ｓを孔版原紙Ｍ（版胴２１の周壁２１ａ）に押し付けることで撓む周壁２１ａに接触し、版胴２１に追従して版胴２１と同一方向（図２では時計回り）に回転する。これにより、版胴２１の周壁２１ａに多数形成された孔からインクＩＫが染み出る。
【００３０】
インク駆動ロッド２８は、インク溜まりの内部において、版胴２１の中心軸方向Ｃ（図３参照）と平行になるように配置され、スキージローラ２７とともに回転することによってインク溜まりに渦流を生じさせる。また、インク駆動ロッド２８は、版胴２１の中心軸方向ＣにインクＩＫを均一に広げる。なお、版胴２１の内部には、インク渦におけるインクＩＫの量を検出するための図示しないインクセンサが配置されている。
【００３１】
図４は、開口部２１ｄ，２１ｄを開放させる位置（Ｐ１）にある２つのカバー２１ｃ，２１ｃを示す斜視図である。
【００３２】
図５Ａ及び図５Ｂは、開口部２１ｄを覆う位置（Ｐ２）にあるカバー２１ｃを示す斜視図及び断面図である。
【００３３】
図６Ａ及び図６Ｂは、開口部２１ｄを開放させる位置（Ｐ１）にあるカバー２１ｃを示す斜視図及び断面図である。
【００３４】
図３に示すように、カバー２１ｃ及び開口部２１ｄは、版胴２１の回転方向における一定間隔で支軸２２の周囲に６つ（複数）設けられている。カバー２１ｃ及び開口部２１ｄは、それぞれ１つずつであってもよいが、複数であることが望ましい。
【００３５】
図５Ａ及び図６Ａに示すように、カバー２１ｃは、開口部２１ｄを覆うカバー本体２１ｃ−１と、このカバー本体２１ｃ−１を回動自在に支持する支持部２１ｃ−２と、カバー本体２１ｃ−１から版胴２１の内部に向かって突出する突出部２１ｃ−３と、を有するウイングである。
【００３６】
カバー本体２１ｃ−１は、例えば側壁２１ｂの径方向に延びる２辺と、この２辺よりも短く側壁２１ｂの円周方向に延びる１辺と、を有する三角板形状を呈する。
【００３７】
支持部２１ｃ−２は、例えばヒンジであり、カバー本体２１ｃ−１のうち径方向に延びる１辺に沿って設けられている。また、支持部２１ｃ−２は、開口部２１ｄの周縁に沿って設けられている。なお、支持部２１ｃ−２が版胴２１の回転方向（図３では時計回り）におけるカバー２１ｃの後端側に設けられることで、カバー本体２１ｃ−１が版胴２１の回転方向における前端側から開くとよい。
【００３８】
突出部２１ｃ−３は、図６Ａに示すように、カバー本体２１ｃ−１の上記の円周方向に延びる１辺の全体から突出するアームであるが、棒状などの他の形状を呈するアームであってもよい。
【００３９】
図５Ｂ及び図６Ｂに示す開閉機構２１０は、開閉アーム２１１と、錘２１２と、連結部材２１３と、弾性体２１４と、を有し、カバー２１ｃを開閉させる。開閉機構２１０は、ガイド２１５を更に有するとよい。
【００４０】
開閉アーム２１１の一端は、側壁２１ｂの内面に配置されたガイド２１５に沿って移動可能にガイド２１５に固定されている。このように、開閉アーム２１１の一端は、側壁２１ｂの内面に沿って移動可能である。なお、ガイド２１５の配置が省略される場合には、開閉アーム２１１の一端は、側壁２１ｂの内面に接触しながら側壁２１ｂの内面に沿って移動してもよい。
【００４１】
錘２１２は、開閉アーム２１１に固定されている。なお、錘２１２は、開閉アーム２１１と一体に設けられていてもよい。
【００４２】
連結部材２１３は、開閉アーム２１１とカバー２１ｃの突出部２１ｃ−３とがなす角度を可変に開閉アーム２１１の他端（ガイド２１５に移動可能に固定される一端とは反対側の端部）と突出部２１ｃ−３の先端とを連結する。連結部材２１３は、例えばヒンジである。
【００４３】
弾性体２１４は、開閉アーム２１１と突出部２１ｃ−３とを互いに接近するように付勢することで、カバー本体２１ｃ−１を、開口部２１ｄを覆う位置（Ｐ２）に回動させる。なお、弾性体２１４は、例えば、ねじりバネ（戻りバネ）である。
【００４４】
ガイド２１５は、一例ではあるが、開閉アーム２１１の一端に設けられた膨出部分を収容する内部空間と、側壁２１ｂの径方向に延び、内部空間から膨出部分が抜け出ない大きさに形成された溝と、を含むとよい。
【００４５】
版胴２１が停止した状態では、図５Ｂに示すように、弾性体２１４によって開閉アーム２１１と突出部２１ｃ−３とが互いに接近するように付勢されることで、カバー本体２１ｃ−１が開口部２１ｄを覆う位置（Ｐ２）に保持される。
【００４６】
版胴２１が回転した状態では、図６Ｂに示すように、この回転に伴って主に錘２１２に生じる遠心力によって開閉アーム２１１の上記一端が弾性体２１４の付勢力に抗してガイド２１５に沿って側壁２１ｂの径方向（側壁２１ｂの周縁側）に移動する。これにより、カバー本体２１ｃ−１（カバー２１ｃ）が開口部２１ｄを開放させる位置（Ｐ１）に回動する。なお、その後、版胴２１の回転が停止した状態では、上述のように、弾性体２１４の付勢力によってカバー本体２１ｃ−１が開口部２１ｄを覆う位置（Ｐ２）に回動する。
【００４７】
図７は、変形例におけるフィルタ２２０及びカバー２１ｃを示す断面図である。
図７に示すように、カバー本体２１ｃ−１が開口部２１ｄを開放させる位置（Ｐ１）にあるときに版胴２１の内部に塵埃が進入するおそれがある場合には、開口部２１ｄにフィルタ２２０が配置されるとよい。上述のように開閉機構２１０が版胴２１の内部に配置される場合、フィルタ２２０は、版胴２１の内部における開閉機構２１０との干渉を回避する形状、例えば、開閉機構２１０が配置される領域が切り取られた形状を呈するとよい。
【００４８】
なお、上述の説明では、開閉機構２１０を用いてカバー２１ｃを移動させる例について述べたが、例えば図４における右側のカバー２１ｃの場合、図５Ａ及び図６Ａに示す支持部２１ｃ−２がカバー本体２１ｃ−１の上部側に位置するため、版胴２１が停止した状態では自重により開口部２１ｃを覆う位置（Ｐ２）に回動する。また、版胴２１が回転した状態では、カバー２１ｃが、回転の勢いで開口部２１ｃを覆う位置（Ｐ２）から開口部２１ｄを開放させる位置（Ｐ１）へ向かって少し移動する。これにより、開口部２１ｄが一部開放し、それに伴いカバー２１ｃが風圧を受けやすくなることで、カバー２１ｃが開口部２１ｄを開放させる位置（Ｐ１）に回動する。
【００４９】
つまり、版胴２１の回転が停止した状態で図５Ａ及び図６Ａに示す支持部２１ｃ−２がカバー本体２１ｃ−１の上部側に位置し、且つ、カバー本体２１ｃ−１が風上側（版胴２１の回転方向における前端側）から開く場合には、版胴２１の回転が停止した状態ではカバー２１ｃが自重で開口部２１ｄを覆う位置（Ｐ２）に移動し、且つ、版胴２１が回転した状態ではカバー２１ｃが風圧によって開口部２１ｄを開放させる位置（Ｐ１）に移動する。そのため、このようにカバー２１ｃが配置される場合、開閉機構２１０を省略することが可能である。なお、この場合、開口部２１ｄを覆う位置（Ｐ２）にあるカバー２１ｃが風圧を受けやすいように、カバー２１ｃには、風上側に、折り曲げられることによって形成される立ち上がり部分などの、風を受ける部分が設けられるとよい。
【００５０】
また、カバー２１ｃを移動させるためには、モータ等の駆動手段を用いてもよい。駆動手段を用いる場合、複数のカバー２１ｃの各々を移動させる複数の駆動手段が配置されてもよい。或いは、側壁２１ｂの内面又は外面に沿うように、側壁２１ｂの開口部２１ｄと同じ位置に開口部が形成された円板状の単一のカバーを配置し、このカバーを駆動手段によって回動させることで、カバーの開口部を、側壁２１ｂの開口部２１ｄと対向する位置（すなわち開口部２１ｄを開放させる位置）と、開口部２１ｄと対向しない位置（すなわち開口部２１ｄを覆う位置）とに回動させてもよい。この場合も、版胴２１が回転した状態で開口部２１ｄを開放させ、版胴２１が停止した状態で開口部２１を覆うように、駆動手段によってカバーを回動させるとよい。
【００５１】
以上説明した本実施の形態では、孔版印刷装置１に配置される版胴装置２０は、円筒状を呈し孔版原紙Ｍが巻き付けられる周壁２１ａと、この周壁２１ａの両端の各々に設けられた側壁２１ｂと、を有する版胴２１を備える。この版胴２１は、少なくとも一方の側壁２１ｂに設けられた開口部２１ｄと、この開口部２１ｄを覆うカバー２１ｃと、を更に有する。これにより、版胴２１の内部において、連続印刷動作が行われてドクターローラ２６、スキージローラ２７、インク駆動ロッド２８等の内部構成部品の摩擦等により発熱しても、版胴２１の内部に外部から気体が導入されることで、版胴２１の周囲の温度や、インクボトル２４、フレーム２９等の発熱しない構成部品の温度との温度差が生じるのを抑えることができる。そのため、版胴２１の内部（例えば、インクボトル２４の外周面やフレーム２９の表面）に結露が発生するのを防ぐことができる。これにより、結露の液滴がインク溜まりであるインク渦に混入するのを防ぎ、インクＩＫの変質やセンサによるインクＩＫの量の誤検知が引き起こされるのを防ぐことができる。よって、本実施の形態によれば、インクＩＫの供給不良を低減することができる。
【００５２】
また、本実施の形態では、カバー２１ｃは、版胴２１が回転した状態で開口部２１ｄを開放させ、版胴２１が停止した状態で開口部２１を覆う。これにより、印刷が行われる状態である版胴２１が回転した状態では開口部２１ｄを開放させることで上述のようにインクＩＫの供給不良を低減し、印刷が行われない状態である版胴２１が停止した状態ではインクＩＫの揮発や版胴２１の内部への塵埃の進入を防ぐことができる。
【００５３】
また、本実施の形態では、版胴装置２０は、カバー２１ｃを開閉させる開閉機構２１０を更に備える。カバー２１ｃは、開口部２１ｄを覆うカバー本体２１ｃ−１と、このカバー本体２１ｃ−１を回動自在に支持する支持部２１ｃ−２と、カバー本体２１ｃ−１から版胴２１の内部に向かって突出する突出部２１ｃ−３と、を有する。開閉機構２１０は、一端が側壁２１ｂの内面（例えば、この内面に配置されたガイド２１５）に沿って移動可能な開閉アーム２１１と、この開閉アーム２１１に固定された錘２１２と、開閉アーム２１１と突出部２１ｃ−３とがなす角度を可変に開閉アーム２１１の他端と突出部２１ｃ−３の先端とを連結する連結部材２１３と、開閉アーム２１１と突出部２１ｃ−３とを互いに接近するように付勢することで開口部２１ｄを覆う位置（Ｐ２）にカバー本体２１ｃ−１を回動させる弾性体２１４と、を有する。カバー本体２１ｃ−１は、版胴２１の回転に伴って主に錘２１２に生じる遠心力によって開閉アーム２１１の一端が弾性体２１４の付勢力に抗して側壁２１ｂの内周面に沿って移動することで開口部２１ｄを開放させる位置（Ｐ１）に回動する。これにより、カバー２１ｃは、駆動手段を用いずに、版胴２１の回転に伴って生じる遠心力によって、版胴２１が回転した状態で開口部２１ｄを開放させ、版胴２１が停止した状態で開口部２１を覆うことができる。
【００５４】
なお、本発明は、上述の実施の形態そのままに限定されるものではなく、実施段階でその要旨を逸脱しない範囲で構成要素を変形して具体化することができる。また、上述の実施の形態に開示されている複数の構成要素の適宜な組み合わせにより、種々の発明を形成することができる。例えば、実施の形態に示される全構成要素を適宜組み合わせても良い。このような、発明の趣旨を逸脱しない範囲内において種々の変形や応用が可能であることはもちろんである。以下に、本願の出願当初の特許請求の範囲に記載された発明を付記する。
【００５５】
［付記１］
円筒状を呈し孔版原紙が巻き付けられる周壁と、当該周壁の両端の各々に設けられた側壁と、を有する版胴を備え、
前記版胴は、少なくとも一方の前記側壁に設けられた開口部と、当該開口部を覆うカバーと、を更に有する、
ことを特徴とする孔版印刷用版胴装置。
【００５６】
［付記２］
前記カバーは、前記版胴が回転した状態で前記開口部を開放させ、前記版胴が停止した状態で前記開口部を覆うことを特徴とする付記１記載の孔版印刷用版胴装置。
【００５７】
［付記３］
前記カバーを開閉させる開閉機構を更に備え、
前記カバーは、前記開口部を覆うカバー本体と、当該カバー本体を回動自在に支持する支持部と、前記カバー本体から前記版胴の内部に向かって突出する突出部と、を有し、
前記開閉機構は、一端が前記側壁の内面に沿って移動可能な開閉アームと、当該開閉アームに固定された錘と、前記開閉アームと前記突出部とがなす角度を可変に前記開閉アームの他端と前記突出部の先端とを連結する連結部材と、前記開閉アームと前記突出部とを互いに接近するように付勢することで前記開口部を覆う位置に前記カバー本体を回動させる弾性体と、を有し、
前記カバー本体は、前記版胴の回転に伴って生じる遠心力によって前記開閉アームの前記一端が前記弾性体の付勢力に抗して前記側壁の前記内面に沿って移動することで前記開口部を開放させる位置に回動する、
ことを特徴とする付記２記載の孔版印刷用版胴装置。
【符号の説明】
【００５８】
１      孔版印刷装置
２      装置筐体
３      操作パネル部
４      原稿読取部
５      カム駆動部
６      排版部
７      給紙部
８      排紙部
９      制御部
１０      プレスローラ
１１      剥離爪
２０      版胴装置
２１      版胴
２１ａ      周壁
２１ｂ      側壁
２１ｃ      カバー
２１ｃ−１      カバー本体
２１ｃ−２      支持部
２１ｃ−３      突出部
２１ｄ      開口部
２２      支軸
２３      クランプ部
２４      インクボトル
２５      インク吐出部
２６      ドクターローラ
２７      スキージローラ
２８      インク駆動ロッド
２９      フレーム
３０      製版部
３１      原紙収容部
３２      サーマルヘッド
３３      プラテンローラ
３４      原紙送りローラ
３５      原紙カッタ
２１０      開閉機構
２１１      開閉アーム
２１２      錘
２１３      連結部材
２１４      弾性体
２１５      ガイド
２２０      フィルタ
ＩＫ      インク
Ｍ      孔版原紙（マスタ）
Ｓ      用紙
【図１】
2019098543.tif 000003
【図２】
2019098543.tif 000004
【図３】
2019098543.tif 000005
【図４】
2019098543.tif 000006
【図５Ａ】
2019098543.tif 000007
【図５Ｂ】
2019098543.tif 000008
【図６Ａ】
2019098543.tif 000009
【図６Ｂ】
2019098543.tif 000010
【図７】
2019098543.tif 000011